(57)【特許請求の範囲】
【請求項１】
一対の筒部と、各筒部に固定された羽根部と、軸合わせされた前記一対の筒部に対して挿抜自在となるように設けられ、かつ常に一方の前記筒部の一端側からその内部へと挿入された状態で保持されるピンとからなる蝶番構造であって、前記ピンが、前記一対の筒部内に挿入される挿入部分と、この挿入部分の一端から連設され、前記一対の筒部のいずれにも挿入できない折れ曲がり部分とを有しており、また、前記一対の筒部の一方の一端側に板バネが配置されており、この板バネが取り付けられる羽根部と板バネとの間に前記ピンの折れ曲がり部分を保持する隙間が形成されていることを特徴とする蝶番構造。
【請求項２】
前記板バネの前記一方の筒部に近い方の側に、前記ピンの折れ曲がり部分が前記隙間に進入することを防止する進入防止部分が形成されている請求項１に記載の蝶番構造。
【発明の詳細な説明】
【０００１】
【発明の属する技術分野】
本発明は、蝶番構造に関するものである。
【０００２】
【従来の技術】
例えば、建造物・建築物などを形成する壁（外壁，内壁，天井壁あるいは底壁など）や、種々の装置の筐体・ハウジングなどを形成する壁において、開口が形成された部分（以下、開口部分という）１８に対して、開閉自在な扉，窓，パネルなどの開閉体１９を取り付ける場合に用いられる従来の蝶番として、図４に示すものがある。
【０００３】
すなわち、一対の筒部１３，１４と、各筒部１３，１４に固定された羽根部１５，１６と、一方の前記筒部１３に一端が固定され、他端が他方の筒部内に挿入されるピン部１７とからなるものである。なお、前記一対の筒部の一方１３に固定された羽根部１５は、前記開閉体１９に取り付けられ、他方１４に固定された羽根部１６は、前記開口部分１８に取り付けられる。
【０００４】
上記の構成からなる蝶番構造では、開閉体１９を開口部分１８に近づけて、一方の筒部１３に一端が固定されたピン部１７の他端を、他方の筒部１４内に挿入するだけで、一対の筒部１３，１４を連結することができ、これによって、開口部分１８に対する開閉体１９の取り付けが完了することになる。
【０００５】
【発明が解決しようとする課題】
しかし、上記従来の蝶番構造では、開閉体１９の取り付けに、例えば３つの蝶番構造を用いる場合、３つの蝶番構造のピン部１７，１７，１７を同じ長さにすると、各蝶番構造において、一対の筒部１３，１４の軸合わせが難しくなるため、３つの蝶番構造のピン部１７，１７，１７の長さが互いに異なるようにしていた。そのため、ピン部１７の最も短く形成された蝶番構造において、ピン部１７の遊びが大きくなってしまい、また、強度上の不利益を被ることになっていた。
【０００６】
さらに、各蝶番構造において、前記一対の筒部１３，１４の連結作業を行うときに、一対の筒部１３，１４の軸合わせをした後に、前記ピン部１７が開口部分１８に固定された側の筒部１４に挿入されるように開閉体１９を動かすのであるが、この作業が終了するまで、開閉体１９の重量を作業者が支えなければならず、また、開閉体１９を開口部分１８の上方から近づけなければならなかったことから、特に、狭いスペースで開閉体１９の取り付け作業を行う場合に、その作業が困難なものとなり、大変な労力がかかることとなっていた。
【０００７】
本発明は、上述のような課題を考慮に入れてなされたものであって、その目的は、開閉体の取り付け作業を、狭いスペースであっても少ない労力で、かつ簡単に行うことができる蝶番構造を提供することである。
【０００８】
【課題を解決するための手段】
上記目的を達成するために、本発明の蝶番構造は、一対の筒部と、各筒部に固定された羽根部と、軸合わせされた前記一対の筒部に対して挿抜自在となるように設けられ、かつ常に一方の前記筒部の一端側からその内部へと挿入された状態で保持されるピンとからなる蝶番構造であって、前記ピンが、前記一対の筒部内に挿入される挿入部分と、この挿入部分の一端から連設され、前記一対の筒部のいずれにも挿入できない折れ曲がり部分とを有しており、また、前記一対の筒部の一方の一端側に板バネが配置されており、この板バネが取り付けられる羽根部と板バネとの間に前記ピンの折れ曲がり部分を保持する隙間が形成されている（請求項１）。
【０００９】
また、前記板バネの前記一方の筒部に近い方の側に、前記ピンの折れ曲がり部分が前記隙間に進入することを防止する進入防止部分が形成されているとしてもよい（請求項２）。
【００１０】
上記の構成からなる蝶番構造では、前記ピンの折れ曲がり部分を前記隙間内に保持させた状態にすると、前記ピンの挿入部分が前記一方の筒部の他端側から突出しないか、あるいは少しだけ突出する状態となり、前記ピンの折れ曲がり部分を前記板バネの進入防止部分よりも筒部側へと移動させた状態にすると、前記進入防止部分が前記折れ曲がり部分に当接することによって前記ピンの板バネ側への移動が防止されるのである。
【００１１】
すなわち、上記の構成からなる本発明によれば、開閉体の取り付け作業を、狭いスペースであっても少ない労力で、かつ簡単に行うことができる蝶番構造を提供することが可能となる。
【００１２】
【発明の実施の形態】
図１は、本発明の一実施例に係る蝶番構造Ｄの構成を概略的に示す斜視図、図２（Ａ）および（Ｂ）は、前記蝶番構造Ｄの構成を概略的に示す一部を縦断した正面図および側面図である。
蝶番構造Ｄは、例えば、建造物・建築物などを形成する壁（外壁，内壁，天井壁あるいは底壁など）や、種々の装置の筐体・ハウジングなどを形成する壁において、開口が形成された部分（図示せず、以下開口部分という）に対して、開閉自在な扉・窓・パネルなどの開閉体（図示せず）を着脱自在に取り付けるためのものであり、前記開閉体に固定される回動体Ａと、前記開口部分に固定される受け体Ｂとからなる。
【００１３】
すなわち、前記蝶番構造Ｄは、一対の筒部１，２と、各筒部１，２に固定された羽根部３，４と、軸合わせされた前記一対の筒部１，２に対して挿抜自在となるように設けられ、かつ常に一方の前記筒部１の一端側からその内部へと挿入された状態で保持されるピンＰとからなり、前記ピンＰは、前記一対の筒部１，２内に挿入される挿入部分５と、この挿入部分５の一端から連設され、前記一対の筒部１，２のいずれにも挿入できない折れ曲がり部分６とを有しており、また、前記一対の筒部１，２の一方１の一端側に板バネ７が配置されており、この板バネ７が取り付けられる羽根部３と板バネ７との間に前記ピンＰの折れ曲がり部分６を保持する隙間８が形成されているとともに、前記板バネ７の前記一方の筒部１に近い方の側に、前記ピンＰの折れ曲がり部分６が前記隙間８に進入することを防止する進入防止部分９が形成されている。
【００１４】
前記回動体Ａは、前記一方の筒部１と、この筒部１に固定された羽根部３と、前記筒部１に挿通した状態で保持されるピンＰと、このピンＰを保持するための板バネ７とからなる。
【００１５】
前記受け体Ｂは、前記他方の筒部２と、この筒部２に固定された羽根部４とからなる。
【００１６】
前記筒部１，２は、それぞれ円筒形状をしており、二つの筒部１，２の内径はほぼ同一となるように形成されている。
【００１７】
前記羽根部３は、その端部のほぼ中央に前記筒部１が長さ方向に沿って固定あるいは連設され、かつ、その裏面側が前記開閉体に当接した状態で固定される筒部配設部分３ａと、表面側には前記板バネ７の固定面部７ａが固定され、かつ、その裏面側が前記開閉体に当接した状態で固定される板バネ固定部分３ｂとを有している。そして、前記筒部配設部分３ａと板バネ固定部分３ｂとは、別体として設けられている。また、前記筒部配設部分３ａは、前記羽根部４と同一構造であり、筒部配設部分３ａとしても羽根部４としても用いることができるように構成されている。なお、前記開閉体に対する羽根部３（筒部配設部分３ａおよび板バネ固定部分３ｂ）の固定は、例えば、羽根部３にビス止め用の穴（あるいはネジ止め用の穴）１０，１０を設け、ビス止め（あるいはネジ止め）によって行ってもよいし、接着剤を用いて接着することで行ってもよい。また、羽根部３の板バネ固定部分３ｂに対する板バネ７の固定面部７ａの固定も、例えば、ビス止め（あるいはネジ止め）１１，１１によって行ってもよいし、接着剤を用いて接着することで行ってもよい。さらに、前記筒部配設部分３ａと板バネ固定部分３ｂとは、別体ではなく、一体に形成されていてもよい。
【００１８】
前記羽根部４は、その端部の下部に前記筒部２が長さ方向に沿って固定あるいは連設されており、また、その裏面側が前記開口部分に当接した状態で固定される。なお、前記開口部分に対する羽根部４の固定は、例えば、羽根部４にビス止め用の穴（あるいはネジ止め用の穴）１２，１２を設け、ビス止め（あるいはネジ止め）によって行ってもよいし、接着剤を用いて接着することで行ってもよい。
【００１９】
前記ピンＰは、前記挿入部分５と折れ曲がり部分６とからなるほぼＬ字型の部材である。そして、前記挿入部分５が一対の筒部１，２に対して挿抜自在となっているのであり、ピンＰは、一対の筒部１，２の軸心方向に移動（摺動）するのである。また、前記挿入部分５の先端は、図示したような球面状あるいは、単に端部の面とりをして、その先端側ほど細くなるテーパ面状に形成してあり、筒部１，２への挿入時のガイド機能を果たすことができる。なお、ピンＰは、Ｌ字型の部材に限るものではなく、例えば、ヘの字型の部材であってもよい。
【００２０】
前記板バネ７は、前記羽根部３に固定される固定面部７ａと、この固定面部７ａに連なり、固定面部７ａよりも前方へと突出して、前記隙間８を形成する突出部７ｂと、この突出部７ｂから前記筒部１側に向けて設けられ、前記突出部７ｂの前端部よりも幾分後方に配置される平板部７ｃと、この平板部７ｃの先端に連設され、前方へ突出した前記進入防止部分９とを有している。なお、前記平板部７ｃの長さは、前記ピンＰを摺動させるために必要な距離に応じて設定されている。
【００２１】
上記の構成からなる回動体Ａでは、前記ピンＰの折れ曲がり部分６を、前記板バネ７の隙間８内に保持させたときには、前記ピンＰの挿入部分５が、前記筒部１の他端側から突出しないか、あるいは少しだけ突出する（言い換えれば、前記ピンＰの挿入部分５の、前記筒部１の他端側から突出する部分の長さが最も短くなる）持ち上がり状態となり、前記ピンＰの折れ曲がり部分６を、前記板バネ７の進入防止部分９よりも筒部１側のほうへ移動させたときには、ピンＰが前記隙間８側へ移動しようとしても、板バネ７の前記進入防止部分９がピンＰの折れ曲がり部分６に当接してその移動を妨げる抜け止め状態となる。なお、前記持ち上がり状態では、前記ピンＰの折れ曲がり部分６が前記突出部７ｂに係止されることによって、前記ピンＰの筒部１側への移動が防止されることになる。
【００２２】
図３（Ａ）は、前記回動体Ａと受け体Ｂとが分離している状態の蝶番構造Ｄの構成を概略的に示す縦断面図、図３（Ｂ）は、前記受け体Ｂの筒部２に回動体Ａの筒部１を軸合わせする直前の状態にある蝶番構造Ｄの構成を概略的に示す縦断面図、図３（Ｃ）は、前記受け体Ｂの筒部２に回動体Ａの筒部１を軸合わせした状態の蝶番構造Ｄの構成を概略的に示す縦断面図である。
次に、上記の構成からなる蝶番構造Ｄにおいて、前記受け体Ｂに対する回動体Ａの取り付け方法および取り外し方法について説明する。
受け体Ｂに回動体Ａを取り付けるには、まず、図３（Ａ）に示すように、前記回動体ＡのピンＰを隙間８内に保持させて持ち上がり状態としておく。続いて、図３（Ｂ）に示すように、前記回動体Ａを前記受け体Ｂにその側方から近づけて、前記筒部１と筒部２との軸合わせを行い、図３（Ｃ）に示すように、受け体Ｂに対して回動体Ａを仮置きした状態とする。このとき、前記持ち上がり状態にある回動体Ａにおいて、前記筒部１の他端側からピンＰの挿入部分の先端が若干突出した状態としておけば、筒部１と筒部２の軸合わせを行うときの目安となるため、作業効率が上昇することになる。
【００２３】
そして、上記のように受け体Ｂに回動体Ａを仮置きした状態で、前記板バネ７の進入防止部分９を摘まみ上げるなどして板バネ７と羽根部３との間を開き、前記隙間８内に保持されていた折れ曲がり部分６を解放して、ピンＰの筒部１，２側への移動を可能にするか、あるいは、板バネ７の付勢力・弾性力に抗することができる程度の力をピンＰに加えて、ピンＰを筒部１，２側へ、折れ曲がり部分６が筒部１の一端に当接するまで移動・摺動させ、前記抜け止め状態とすれば、受け体Ｂへの回動体Ａの取り付けが完了する。
【００２４】
上記のように、受け体Ｂへの回動体Ａの取り付けが完了した状態では、前記ピンＰの挿入部分５が前記筒部１，２を挿通した状態となり、このピンＰを軸にして、回動体Ａおよびこの回動体Ａが固定される開閉体の回動が行われることになる。
【００２５】
また、受け体Ｂに取り付けられた状態にある回動体Ａを取り外すには、前記板バネ７の進入防止部分９を摘まみ上げるなどして板バネ７と羽根部３との間を開くか、あるいは、板バネ７の付勢力・弾性力に抗することができる程度の力をピンＰに加えて、筒部１，２を挿通した状態のピンＰを板バネ７側へと移動・摺動させ、筒部２内からピンＰを後退・退出させるだけでよい。
【００２６】
上記の構成からなる蝶番構造Ｄを用いた場合には、開閉体を開口部分に取り付けるときに、開閉体に固定された回動体Ａを開口部分に固定された受け体Ｂに対してその側方から近づけることができるため、開閉体を開口部分に対してその上方から近づけなければならない蝶番構造を用いた場合に比して、開閉体の着脱作業のためのスペースが狭くてもよいことから、開閉体を取り付ける周囲のレイアウトなどに関する自由度が大きくなり、また、開閉体の着脱作業を、狭いスペースであってもより少ない労力で、簡単に行うことができる。
【００２７】
また、上記の構成からなる蝶番構造Ｄを用いた場合には、開閉体の着脱作業の途中で、開閉体に固定された回動体Ａを受け体Ｂに仮置きすることができるため、前記着脱作業中に、開閉体をずっと人力によって支えていなければならない従来の蝶番構造を用いた場合に比して、着脱作業のための労力をさらに少なくすることが可能となる。
【００２８】
さらに、複数（例えば、２つまたは３つ）の蝶番構造Ｄ，Ｄ…を用いて開閉体を開口部分に取り付ける場合であっても、従来の蝶番構造を用いた場合のように、前記開口部分に固定された受け体の筒部２内に挿入されるピンＰの挿入部分５の長さを、蝶番構造ごとに変える必要が無いことから、複数の蝶番構造のうち、特に、ピンＰを短く形成した蝶番構造において、ピンＰの遊びが大きくなり、ひいては蝶番構造自体の強度が低下するというおそれがない。
【００２９】
また、前記蝶番構造Ｄでは、前記ピンＰが隙間８で保持され、常に一方の筒部１を挿通した状態で保持されることから、ピンＰを紛失するおそれがない。
【００３０】
また、上記の構成からなる蝶番構造Ｄを用いた場合には、各蝶番構造Ｄにおいて、一本のピンＰを摺動操作するだけで、開閉体の着脱作業を行うことが可能となることから、複数のピンを摺動させなければならない蝶番構造を用いる場合に比して、開閉体の着脱作業がより簡単なものとなる。
【００３１】
【発明の効果】
上記の構成からなる本発明によれば、開閉体の取り付け作業を、狭いスペースであっても少ない労力で、かつ簡単に行うことができる蝶番構造を提供することが可能となる。
【図面の簡単な説明】
【図１】本発明の一実施例に係る蝶番構造の構成を概略的に示す斜視図である。
【図２】（Ａ）および（Ｂ）は、上記実施例の構成を概略的に示す一部を縦断した正面図および側面図である。
【図３】（Ａ）は、回動体と受け体とが分離している状態の上記実施例の構成を概略的に示す縦断面図、（Ｂ）は、前記受け体の筒部に回動体の筒部を軸合わせする直前の状態にある上記実施例の構成を概略的に示す縦断面図、（Ｃ）は、前記受け体の筒部に回動体の筒部を軸合わせした状態の上記実施例の構成を概略的に示す縦断面図である。
【図４】従来の蝶番構造の構成を概略的に示す正面図である。
【符号の説明】
１…一方の筒部、２…他方の筒部、３，４…羽根部、５…挿入部分、６…折れ曲がり部分、７…板バネ、８…隙間、９…進入防止部分、Ｄ…蝶番構造、Ｐ…ピン。
【図１】
0004312399.tif 000002
【図２】
0004312399.tif 000003
【図３】
0004312399.tif 000004
【図４】
0004312399.tif 000005